(57)【特許請求の範囲】
【請求項１】
ユーザカードに基づく情報を送信するためのシステムであって、
カード端末であって、
前記ユーザカードの識別情報を取得し、
前記ユーザカードの識別情報および前記カード端末の識別情報を送信する、カード端末と、
データ分析および推奨デバイスであって、
記憶された予め定められた推奨情報にアクセスし、各推奨情報は、特定のユーザカードの特定の識別情報と、特定のカード端末の特定の識別情報との記憶された特定の組み合わせに関連付けられ、
前記取得した前記ユーザカードの前記識別情報および前記送信した前記カード端末の前記識別情報の組み合わせに対応する推奨情報が存在するかどうかを決定し、
前記取得した前記ユーザカードの前記識別情報および前記送信した前記カード端末の前記識別情報の前記組み合わせに対応する前記推奨情報が存在する場合、前記カード端末に前記推奨情報を送信する、デバイスと、を備える、システム。
【請求項２】
前記ユーザカードの前記識別情報は、前記ユーザカードの番号および／または前記ユーザカードの固有の識別のうちの少なくとも１つを含む、請求項１に記載のシステム。
【請求項３】
前記カード端末の前記識別情報は、前記カード端末のシリアル番号および／または前記カード端末のアドレス情報のうちの少なくとも１つを含む、請求項１に記載のシステム。
【請求項４】
前記推奨情報は、広告、文字、画像、動画、字幕、フラッシュアニメーション、ウェブページ、および／またはパワーポイントファイルのうちの少なくとも１つを含む、請求項１に記載のシステム。
【請求項５】
前記カード端末は、無線自動識別（ＲＦＩＤ）リーダ、赤外線センサ、全地球測位システム（ＧＰＳ）、および／またはレーザースキャナのうちの少なくとも１つを含む、請求項１に記載のシステム。
【請求項６】
前記ユーザカードは、磁気カード、接触型集積回路（ＩＣ）カード、または非接触型カードを含む、請求項１に記載のシステム。
【請求項７】
ユーザカードに基づく情報を送信するためのシステムであって、
カード端末であって、
前記ユーザカードの識別情報を取得し、
前記ユーザカードの識別情報および前記カード端末の識別情報を送信する、カード端末と、
前記ユーザカードの前記識別情報および前記ユーザカードの前記識別情報に対応するユーザ情報を格納するためのユーザカード管理デバイスであって、前記ユーザ情報は、前記カード端末によって送信される前記ユーザカードの前記識別情報に基づいて取得される、デバイスと、
前記カード端末の前記識別情報および前記カード端末の前記識別情報に対応するカード端末情報を格納するためのカード端末管理デバイスであって、前記カード端末情報は、前記カード端末の前記識別情報に基づいて取得される、デバイスと、
データ分析および推奨デバイスであって、
記憶された予め定められた推奨情報にアクセスし、各推奨情報は、特定のユーザの特定の識別情報と、特定のカード端末の特定の識別情報との記憶された特定の組み合わせに関連付けられ、
前記取得した前記ユーザ情報および前記取得した前記カード端末情報の組み合わせに対応する推奨情報が存在するかどうかを決定し、
前記取得した前記ユーザ情報および前記取得した前記カード端末情報の前記組み合わせに対応する前記推奨情報が存在する場合、前記ユーザ情報に対応するアドレスまたは機器に前記推奨情報を送信する、デバイスと、を備える、システム。
【請求項８】
前記カード端末情報は、前記カード端末のアドレス情報、前記カード端末の周辺カード端末情報、および／または周辺広告放送機器情報のうちの少なくとも１つを含む、請求項７に記載のシステム。
【請求項９】
前記カード端末は、インターフェース構成要素、制御構成要素、格納構成要素、およびカード構成要素を備える、請求項７に記載のシステム。
【請求項１０】
前記データ分析および推奨デバイスは、
前記ユーザ情報および前記カード端末情報に対応する前記推奨情報を格納するための格納モジュールと、
前記ユーザカード管理デバイスによって取得される前記ユーザ情報および前記カード端末管理デバイスによって取得される前記カード端末情報に基づいて、前記格納モジュールの中に前記ユーザ情報および前記カード端末情報に対応する前記推奨情報が存在するかどうかを決定するための決定モジュールと、
前記ユーザ情報および前記カード端末情報に対応する前記推奨情報が存在する場合、前記ユーザ情報に対応する前記アドレスまたは前記機器に前記推奨情報を公開するための公開モジュールと、を備える、請求項７に記載のシステム。
【請求項１１】
ユーザカードに基づく情報を送信するためのシステムであって、
カード端末であって、
前記ユーザカードの識別情報を取得し、
前記ユーザカードの識別情報および前記カード端末の識別情報を送信する、カード端末と、
前記カード端末によって送信される前記ユーザカードの前記識別情報に基づいて取得されるユーザ情報および前記ユーザ情報に対応する前記ユーザカードの前記識別情報を格納するためのユーザカード管理デバイスと、
前記カード端末の前記識別情報に基づいて取得されるカード端末情報および前記カード端末情報に対応する前記カード端末の前記識別情報を格納するためのカード端末管理デバイスと、
データ分析および推奨デバイスであって、
記憶された予め定められた推奨情報にアクセスし、各推奨情報は、特定のユーザの特定の識別情報と、特定のカード端末の特定の識別情報との記憶された特定の組み合わせに関連付けられ、
前記取得した前記ユーザ情報および前記取得した前記カード端末情報の組み合わせに対応する推奨情報が存在するかどうかを決定し、
前記取得した前記ユーザ情報および前記取得した前記カード端末情報の前記組み合わせに対応する前記推奨情報が存在する場合、前記カード端末情報に対応するアドレスまたは機器に前記推奨情報を送信する、デバイスと、を備える、システム。
【請求項１２】
データ分析および推奨デバイスであって、
前記ユーザ情報および前記カード端末情報に対応する前記推奨情報を格納するための格納モジュールと、
前記ユーザカード管理デバイスによって取得される前記ユーザ情報および前記カード端末管理デバイスによって取得される前記カード端末情報に基づいて、前記格納モジュールの中に前記ユーザ情報および前記カード端末情報に対応する前記推奨情報が存在するかどうかを決定するための決定モジュールと、
前記推奨情報が存在する場合、前記カード端末情報に対応する前記アドレスまたは前記機器に前記推奨情報を公開するための公開モジュールと、を備える、請求項１１に記載のシステム。
【請求項１３】
ユーザカードに基づく情報を送信する方法であって、
カード端末により、前記ユーザカードの識別情報を取得することと、
カード端末により、前記ユーザカードの識別情報および前記カード端末の識別情報を送信することと、
データ分析および推奨デバイスにより、
記憶された予め定められた推奨情報にアクセスすることであって、各推奨情報は、特定のユーザカードの特定の識別情報と、特定のカード端末の特定の識別情報との記憶された特定の組み合わせに関連付けられる、ことと、
前記取得した前記ユーザカードの前記識別情報および前記送信した前記カード端末の前記識別情報の組み合わせに対応する推奨情報が存在するかどうかを決定することと、
前記取得した前記ユーザカードの前記識別情報および前記送信した前記カード端末の前記識別情報の前記組み合わせに対応する前記推奨情報が存在する場合、前記カード端末に前記推奨情報を送信することと、を含む、方法。
【請求項１４】
前記ユーザカードの前記識別情報は、前記ユーザカードの番号および／または前記ユーザカードの固有の識別のうちの少なくとも１つを含む、請求項１３に記載の方法。
【請求項１５】
前記カード端末の前記識別情報は、前記カード端末のシリアル番号および／または前記カード端末のアドレス情報のうちの少なくとも１つを含む、請求項１３に記載の方法。
【請求項１６】
ユーザカードに基づく情報を送信する方法であって、
カード端末により、前記ユーザカードの識別情報を取得することと、
カード端末により、前記ユーザカードの前記識別情報および前記カード端末の識別情報を送信することと、
ユーザカード管理デバイスにより、前記ユーザカードの予め格納された識別情報、前記ユーザカードの前記予め格納された識別情報に対応する予め格納されたユーザ情報、および前記カード端末によって送信される前記ユーザカードの前記識別情報に基づいて、ユーザ情報を取得することと、
カード端末管理デバイスにより、前記カード端末の予め格納された識別情報、前記カード端末の前記予め格納された識別に対応する予め格納されたカード端末情報、および前記カード端末によって取得される前記カード端末の前記識別情報に基づいて、カード端末情報を取得することと、
データ分析および推奨デバイスにより、
記憶された予め定められた推奨情報にアクセスすることであって、各推奨情報は、特定のユーザカードの特定の識別情報と、特定のカード端末の特定の識別情報との記憶された特定の組み合わせに関連付けられる、ことと、
前記取得した前記ユーザ情報および前記取得した前記カード端末情報の組み合わせに対応する推奨情報が存在するかどうかを決定することと、
前記取得した前記ユーザ情報および前記取得した前記カード端末情報の前記組み合わせに対応する前記推奨情報が存在する場合、前記ユーザ情報に対応するアドレスまたは機器に前記推奨情報を送信することと、を含む、方法。
【請求項１７】
前記決定することは、
前記ユーザカード管理デバイスによって取得される前記ユーザ情報および前記カード端末管理デバイスによって取得される前記カード端末情報に基づいて、前記予め格納されたユーザ情報および前記予め格納されたカード端末情報に対応する予め格納された推奨情報の中に、前記ユーザ情報および前記カード端末情報に対応する前記推奨情報が存在するかどうかを決定することを含む、請求項１６に記載の方法。
【請求項１８】
ユーザカードに基づく情報を送信する方法であって、
カード端末により、前記ユーザカードの識別情報を取得することと、
前記ユーザカードの前記識別情報および前記カード端末の識別情報を送信することと、  ユーザカード管理デバイスにより、予め格納されたユーザ情報、前記予め格納されたユーザ情報に対応する前記ユーザカードの予め格納された識別情報、および前記カード端末によって送信される前記ユーザカードの前記識別情報に基づいて、ユーザ情報を取得することと、
カード端末管理デバイスにより、予め格納されたカード端末情報、前記予め格納されたカード端末情報に対応する前記カード端末の予め格納された識別情報、および前記カード端末によって取得される前記カード端末の前記識別情報に基づいて、カード端末情報を取得することと、
データ分析および推奨デバイスにより、
記憶された予め定められた推奨情報にアクセスすることであって、各推奨情報は、特定のユーザカードの特定の識別情報と、特定のカード端末の特定の識別情報との記憶された特定の組み合わせに関連付けられる、ことと、
前記取得した前記ユーザ情報および前記取得した前記カード端末情報の組み合わせに対応する推奨情報が存在するかどうかを決定することと、
前記取得した前記ユーザ情報および前記取得した前記カード端末情報の前記組み合わせに対応する前記推奨情報が存在する場合、前記推奨情報を前記ユーザ情報に対応するアドレスまたは機器に送信することと、を含む、方法。
【請求項１９】
前記決定することは、
前記ユーザカード管理デバイスによって取得される前記ユーザ情報および前記カード端末管理デバイスによって取得される前記カード端末情報に基づいて、前記予め格納されたユーザ情報および前記予め格納されたカード端末情報に対応する予め格納された推奨情報の中に、前記ユーザ情報および前記カード端末情報に対応する前記推奨情報が存在するかどうかを決定することを含む、請求項１８に記載の方法。
【請求項２０】
前記カード端末情報は、前記カード端末のアドレス情報、前記カード端末の周辺カード端末情報、および／または周辺広告放送機器情報のうちの少なくとも１つを含む、請求項１８に記載の方法。
【発明の詳細な説明】
【技術分野】
【０００１】
本出願は、２０１０年８月２０日に出願された中国特許出願第２０１０１０２６４２２６．４号、標題「Ｍｅｔｈｏｄ  ａｎｄ  Ｓｙｓｔｅｍ  ｏｆ  Ｓｅｎｄｉｎｇ  Ｉｎｆｏｒｍａｔｉｏｎ  Ｂａｓｅｄ  ｏｎ  ａ  Ｕｓｅｒ  Ｃａｒｄ」の優先権を主張するものであり、参照により、その全体が本明細書に組み込まれる。
【０００２】
本開示は、ネットワーク技術分野に関し、より具体的には、ユーザカードに基づく情報を送信する方法およびシステムに関する。
【背景技術】
【０００３】
最近、モノ（Ｔｈｉｎｇｓ）のインターネットが革新的な技術として人気を集めている。モノのインターネットは、インターネットに基づいて拡張および拡大されるネットワークであり、情報を交換および通信するための合意プロトコルに基づいて、無線自動識別（ＲＦＩＤ）リーダー（ｒｅａｄｅｒ）、赤外線センサ、全地球測位システム（ＧＰＳ）、レーザースキャナ等を介して全てのものをインターネットに接続することができる。したがって、それに応じてインテリジェントな識別、位置、追跡、監視、および管理を達成することができ、ユーザ端末が、任意のオブジェクト間の接続まで拡張および拡大する。
【０００４】
現在、モノのインターネットは、主にユーザカードの走査に用いられている。ユーザーカードは、磁気カード、接触型集積回路（ＩＣ）カード、非接触型カード等を含む。
【０００５】
磁気カードは、カード（例えば、通帳（ｄｅｐｏｓｉｔ  ｂｏｏｋｓ））上に液体磁気材料を被覆することによって、またはカード上に磁気ストリップ（例えば、６１４ミリメートルの幅を有する）を貼付することによって、液体磁気材料または磁気ストリップを情報担体として使用する。
【０００６】
接触型ＩＣカードは、「ＩＣカード」とも称され、標準的なシリアルＥＥＰＲＯＭ（電気的に消去可能なプログラム可能読み取り専用メモリ）であるＩＣを含む。
【０００７】
非接触型カードは、接触型ＩＣカードまたはＩＣカードと同じ機能を有し、標準的なＰＶＣ（相手固定接続）カードに収容されるＩＣチップおよびアンテナから構成される、新しいインテリジェントなカードである。ＩＣチップおよびアンテナは、まったく曝露されない。非接触型カードは、電源を必要とせず、データを処理してカードリーダにフィードバックするためにアンテナによってカードリーダから磁気的に誘導される電気によって作動する。
【０００８】
ユーザカードの走査は、接触型または非接触型カードの認識および識別を含む。非接触型カードは、ＲＦＩＤカードと称されることもある。非接触型カードは、カードリーダの表面付近に配置される必要があり、非接触電力伝送によって読み書き動作を完了する。
【０００９】
カード端末は、ユーザカードの走査を実施するために必要である。カード端末は、多機能端末である。クレジットカードによる支払いを受け付ける店舗および販売代理店にカード端末を設置し、それらをコンピュータに接続することによって、ネットワークの形成、金融サービス、マルチメディアアクセスディスプレイ、情報公開、および他の機能を実現することができる。
【００１０】
マルチメディア情報（例えば、マルチメディア広告等）は、カード端末からユーザに送信される一方で、マルチメディアブロードキャストおよびマルチメディアオンデマンド（ＭＯＤ）の２つの異なる様式で公開され得る。マルチメディア情報は、予め設定される。したがって、それは、個々の人々ではなく一般に向けて送信される。カード端末によって送信されるマルチメディア情報がユーザにとって関心のないものである場合、マルチメディア情報源が無駄になり、ユーザの経験を劣化させる。
【発明の概要】
【００１１】
本開示は、ユーザカードに基づく情報を送信する方法およびシステムを紹介する。カード端末は、ユーザカードによって作動させることができ、ユーザに個人向け情報を提供することができる。
【００１２】
上記目的を達成するために、本開示は、ユーザカードに基づく情報を送信するための例示的システムを紹介する。
【００１３】
例示的システムにおいて、カード端末は、ユーザカードの識別情報を取得し、ユーザカードの識別情報およびカード端末の識別情報をデータ分析および推奨デバイス等のデバイスに送信する。データ分析および推奨デバイスは、ユーザカードの識別情報およびカード端末の識別情報に従って、ユーザカードの識別情報およびカード端末の識別情報に対応する推奨情報が存在するかどうかを決定する。推奨情報が存在する場合、データ分析および推奨デバイスは、カード端末に推奨情報を送信する。
【００１４】
別の例示的システムにおいて、カード端末は、ユーザカードの識別情報を取得し、ユーザカードの識別情報およびカード端末の識別情報をユーザカード管理デバイスカード端末管理デバイス等のデバイスに送信する。ユーザカード管理デバイスは、ユーザカードの識別情報および対応するユーザ情報を格納し、カード端末によって送信されるユーザカードの識別情報に従ってユーザ情報を取得する。カード端末管理デバイスは、カード端末の識別情報および対応するカード端末情報を格納し、カード端末の識別情報に従ってカード端末情報を取得する。ユーザカード管理デバイスによって取得されるユーザ情報およびカード端末管理デバイスによって取得されるカード端末情報に従って、データ分析および推奨デバイスは、ユーザ情報およびカード端末情報に対応する推奨情報が存在するかどうかを決定する。推奨情報が存在する場合、データ分析および推奨デバイスは、ユーザ情報に対応するアドレスまたは機器に推奨情報を送信する。
【００１５】
別の例示的システムにおいて、カード端末は、ユーザカードの識別情報を取得し、ユーザカードの識別情報およびカード端末の識別情報をユーザカード管理デバイス、カード端末管理デバイス等のデバイスに送信する。ユーザカード管理デバイスは、ユーザ情報およびユーザ情報に対応するユーザカードの識別情報を格納し、カード端末によって送信されるユーザカードの識別情報に従ってユーザ情報を取得する。カード端末管理デバイスは、カード端末情報およびカード端末情報に対応するカード端末の識別情報を格納し、カード端末の識別情報に従ってカード端末情報を取得する。ユーザカード管理デバイスによって取得されるユーザ情報およびカード端末管理デバイスによって取得されるカード端末情報に従って、データ分析および推奨デバイスは、ユーザ情報およびカード端末情報に対応する推奨情報が存在するかどうかを決定する。推奨情報が存在する場合、データ分析および推奨デバイスは、カード端末情報に対応するアドレスまたは機器に推奨情報を送信する。
【００１６】
上記目的を達成するために、本開示は、ユーザカードに基づく情報を送信する例示的方法を紹介する。
【００１７】
例示的方法において、カード端末は、ユーザカードの識別情報を取得し、ユーザカードの識別情報およびカード端末の識別情報をデータ分析および推奨デバイス等のデバイスに送信する。データ分析および推奨デバイスは、ユーザカードの識別情報およびカード端末の識別情報に従って、ユーザカードの識別情報およびカード端末の識別情報に対応する推奨情報が存在するかどうかを決定する。推奨が存在する場合、データ分析および推奨デバイスは、カード端末に推奨情報を送信する。
【００１８】
別の例示的方法において、カード端末は、ユーザカードの識別情報を取得し、ユーザカードの識別情報およびカード端末の識別情報をユーザカード管理デバイスおよびカード端末管理デバイス等のデバイスに送信する。ユーザカード管理デバイスは、ユーザカードの予め格納された識別情報および対応するユーザ情報、ならびにカード端末によって送信されるユーザカードの識別情報に従って、対応するユーザ情報を取得する。カード端末管理デバイスは、カード端末の予め格納された識別情報および対応するカード端末情報に従って、対応するカード端末情報を取得する。ユーザカード管理デバイスによって取得されるユーザ情報およびカード端末管理デバイスによって取得されるカード端末情報に従って、データ分析および推奨デバイスは、ユーザ情報およびカード端末情報に対応する推奨情報が存在するかどうかを決定する。推奨情報が存在する場合、データ分析および推奨デバイスは、ユーザ情報に対応するアドレスまたは機器に推奨情報を送信する。
【００１９】
本開示は、以下の利点を有する。データ分析および推奨デバイスは、ユーザ情報を表示することができるカード端末に推薦情報を送信することができる。ユーザに表示される情報は、異なる推奨情報に従って変化する。推奨情報は、広告情報、文字情報、画像情報、動画情報等の異なる形態であり得るため、ユーザに個人向けマルチメディア情報を提供することができる。
【図面の簡単な説明】
【００２０】
【図１】本開示の実施形態１に従ってユーザカードに基づく情報を送信するためのシステム構造図。
【図２】本開示の実施形態２に従ってユーザカードに基づく情報を送信するためのシステム構造の略図
【図３】本開示の実施形態３に従ってユーザカードに基づく情報を送信するためのシステム構造の略図。
【図４】本開示の実施形態５に従うカード端末の構造の略図。
【図５】本開示の実施形態６に従ってユーザカードに基づく情報を送信するフローチャート。
【図６】本開示の実施形態７に従ってユーザカードに基づく情報を送信するフローチャート。
【図７】本開示の実施形態８に従ってユーザカードに基づく情報を送信するフローチャート
【発明を実施するための形態】
【００２１】
本開示の実施形態は、ユーザカードに基づく情報を送信する方法およびシステムを提供する。ユーザがユーザカードを介してカード端末を作動させると、カード端末は、ユーザカードの識別情報を取得し、ユーザカードの識別情報およびカード端末の識別情報を分析および推奨デバイス等のデバイスに送信する。データ分析および推奨デバイスは、ユーザカードの識別情報およびカード端末の識別情報に従って、ユーザカードの識別情報およびカード端末の識別情報に対応する推奨情報が存在するかどうかを決定し、決定の結果が「存在する」である場合、カード端末に推奨情報を送信する。最終的に、推奨情報はユーザに表示される。その結果、異なるユーザに個人向け情報を提供することができる。
【００２２】
当業者が本開示の実施形態の技術的ソリューションを理解できるように、図面とともに本開示のさらなる説明を詳細に提供する。記載される実施形態は、本開示の全ての実施形態ではなく、実施形態のうちのいくつかに過ぎない。本開示に提供される実施形態を参照して当業者によって得られる他の可能な実施形態は、本開示の保護の範囲に属する。
【００２３】
実施形態１
図１は、実施形態１に従ってユーザカードに基づく情報を送信するためのシステム構造の略図を示す。システムは、カード端末１１およびデータ分析および推奨デバイス１２を含む。
【００２４】
カード端末１１は、ユーザカードの識別情報を取得し、ユーザカードの識別情報およびカード端末の識別情報を送信するように構成される。カード端末は、限定されないが、店舗販売時点情報管理（ＰＯＳ）機を含む。
【００２５】
ユーザカードは、ユーザカードの識別情報を格納することができる。例示的用途において、各ユーザカードは、その固有の識別情報を有する。ユーザカードが互いに識別され得る限り、各ユーザカードの識別情報は異なる様式で示されてもよい。例えば、ユーザカードの識別情報は、多数のユーザカードの情報またはユーザカードの固有の識別情報であってもよい。識別情報は、限定されないが、ユーザのアカウント番号、ログイン情報、および政府機関によって発行される多数のＩＤカードを含んでもよい。
【００２６】
カード端末の識別情報は、カード端末を決定するための固有の情報、例えば、カード端末のシリアル番号またはアドレス情報等であってもよい。
【００２７】
本開示において、カード端末に表示される内容は、限られた数の人々のみ、通常は、走査を行う人のみが入手可能である。したがって、マルチメディア情報は一般向けに作成および表示されるため、マルチメディア情報を表示するための従来技術の使用は、マルチメディア情報源の無駄およびユーザ経験の劣化等のいくつかの問題を引き起こす。
【００２８】
上記問題を解決するために、本開示は、カード端末を介して送信され、マルチメディアに表示される個人向け情報に関心のあり得るユーザに個人向け情報を表示する。
【００２９】
前述の目的を達成するために、ユーザがカード端末で走査を行うと、カード端末は、ユーザカード内に格納されたユーザカードの識別情報を読み取り、ユーザカードの識別情報を送信する。また、カード端末は、カード端末の識別情報を格納し、カード端末の識別情報を送信する。
【００３０】
例示的用途において、カード端末は、ユーザカードの識別情報およびカード端末の識別情報を、同じバックエンド（ｂａｃｋｅｎｄ）デバイスまたは異なるバックエンドデバイスに送信することができる。この実施形態では、例示の目的のために、ユーザカードの識別情報およびカード端末の識別情報は、カード端末によってデータ分析および推奨デバイスに送信される。
【００３１】
具体的には、カード端末は、伝送ネットワークを介して、ユーザカードの識別情報およびカード端末の識別情報をデータ分析および推奨デバイスに送信する。伝送ネットワークは、限定されないが、有線ネットワーク（例えば、ダイヤルネットワーク）またはワイヤレスネットワーク（例えば、汎用パケット無線サービス（ＧＰＲＳ）、符号分割多重接続（ＣＤＭＡ）、時分割同期符号分割多重接続（ＴＤ−ＳＣＤＭＡ）、ワイヤレスフィディリティ（ＷｉＦｉ）等）を含む。伝送ネットワークは、伝送を暗号化するためおよび伝送を保護にするために、セキュアソケットレイヤー（ＳＳＬ）を採用することができる。
【００３２】
データ分析および推奨デバイス１２は、ユーザカードの識別情報およびカード端末の識別情報に従って、ユーザカードの識別情報およびカード端末の識別情報に対応する推奨情報が存在するかどうかを決定するように構成される。推奨情報が存在する場合、データ分析および推奨デバイス１２は、カード端末に推奨情報を送信する。
【００３３】
例示的用途において、ユーザカードの識別情報およびカード端末の識別情報と推奨情報との間の対応する関係は、データ分析および推奨デバイス１２または他のバックエンドデバイス内に格納することができる。対応する関係が他のバックエンドデバイス内に格納される場合、データ分析および推奨デバイス１２は、バックエンドデバイスから関係を取得し、ユーザカードの識別情報およびカード端末の識別情報に対応する推奨情報が存在するかどうかを決定する。
【００３４】
より分かりやすい説明のために、本開示は、ユーザカードの識別情報およびカード端末の識別情報と推奨情報との間の対応する関係を表す表１に示すように、データ分析および推奨デバイス１２が、ユーザカードの識別情報およびカード端末の識別情報に対応する推奨情報を格納する例を用いる。
【００３５】
【表１】
0005911868.tif 000002
【００３６】
本開示において、ユーザカードの識別情報およびカード端末の識別情報を取得した後、データ分析および推奨デバイス１２は、表１を検索することにより、ユーザカードの識別情報およびカード端末の識別情報に対応する推奨情報が存在するかどうかを決定する。
【００３７】
例えば、データ分析および推奨デバイス１２が、ユーザカードの識別情報は表１に示すように識別１であり、カード端末の識別情報はＣであると判断した場合、データ分析および推奨デバイス１２は、表１を参照することにより、対応する推奨情報が存在しないと決定することができる。ユーザカードの識別情報が識別１であり、カード端末の識別情報が識別Ｂである場合、上記デバイスは、表１を参照することにより、対応する推奨情報は推奨情報２であると決定することができる。次いで、データ分析および推奨デバイス１２は、カード端末１１に推奨情報２を送信する。
【００３８】
本開示において、推奨情報は、例示的状況に従って選択され得る。例えば、推奨情報は、限定されないが、広告情報（例えば、店舗の名称、店舗の簡単な紹介、および現在位置から店舗までの推奨ルート）、文字情報、画像情報、動画情報、字幕情報、フラッシュアニメーション情報、ウェブページ情報、パワーポイントファイル（ＰＰＴ）情報等であってもよい。
【００３９】
本開示は、対応する関係を格納するために表を使用することに限定されないことを理解されたい。代わりに、関係を格納するために異なる様式を用いることができる。対応する関係の推奨情報は、限定されないが、消費行動情報およびインターネット行動情報を含むユーザの行動情報に従って取得され得る。ユーザの行動情報を取得した後、ユーザが関心を持ち得る情報をユーザの行動情報に従って分析することができ、推奨情報として用いることができる。
【００４０】
消費行動情報を例に取ってみよう。識別１を有するユーザカードが、識別Ａを有するカード端末を介して常にＡ型の消費を行う場合、推奨情報は、Ａ型の消費を提供することが可能な店舗のマルチメディア情報である。対応する関係は、識別１および識別ＡとＡ型の消費を提供することができる店舗のマルチメディア情報との間にある。
【００４１】
インターネット行動情報を例に取ってみよう。識別１を有するユーザカードが、識別Ａを有するカード端末を介して常にＡ型のインターネット行動（例えば、インターネットを介して製品および／またはサービスをブラウジング、閲覧、批評、収集、および共有する行動情報）を行う場合、推奨情報は、Ａ型のインターネット行動を提供することが可能な店舗のマルチメディア情報である。対応する関係は、識別１および識別ＡとＡ型のインターネット行動を提供することができる店舗のマルチメディア情報との間にある。
【００４２】
要約すると、データ分析および推奨デバイスは、カード端末に推奨情報を送信することができ、カード端末は、ユーザにその情報を表示することができる。従来技術は、異なるマルチメディア情報をそれぞれ異なる人々に送信するのではなく、マルチメディア情報を一般に向けて送信することしかできない。対照的に、本開示では、推奨情報をカード端末に送信してユーザに表示することができるため、ユーザに表示される情報は、異なる推奨情報に従って変化する。さらに、推奨情報は、ユーザカードの識別情報およびカード端末の識別情報に対応するため、推奨情報は、特定のユーザのための個人向け情報を含む。また、推奨情報は、広告情報、文字情報、画像情報、動画情報、音声情報等の異なる形態であり得るため、ユーザに個人向けマルチメディア情報を提供することができる。
【００４３】
実施形態２
実施形態１に続いて、図２は、実施形態２に従ってユーザカードに基づく情報を送信するためのシステム構造の略図を示す。システムは、カード端末２１、ユーザカード管理デバイス２２、カード端末管理デバイス２３、およびデータ分析および推奨デバイス２４を含む。
【００４４】
カード端末２１は、ユーザカードの識別情報を取得し、ユーザカードの識別情報およびカード端末の識別情報を送信するように構成される。カード端末は、限定されないが、ＰＯＳ機を含む。
【００４５】
ユーザカードは、ユーザカードの識別情報を格納することができる。例示的用途において、各ユーザカードは、その固有の識別情報を有する。ユーザカードが互いに識別され得る限り、各ユーザカードの識別情報は異なる様式で示されてもよい。ユーザカードの識別情報の他の例は、本開示には詳述しない。
【００４６】
ユーザカードの識別情報は、ユーザカードを決定するための唯一の情報であり得る。例えば、ユーザカードの識別情報は、数字情報または固有の識別情報であってもよい。カード端末の識別情報は、カード端末２１を決定するための唯一の情報、例えば、カード端末のシリアル番号またはアドレス情報等であってもよい。
【００４７】
本開示において、ユーザがカード端末２１で走査を行うと、カード端末２１は、ユーザカード内に格納されたユーザカードの識別情報を読み取り、ユーザカードの識別情報を送信する。その結果、カード端末２１は、カード端末２１の識別情報を格納し、カード端末２１の識別情報を送信する。
【００４８】
例示的用途において、カード端末２１は、ユーザカードの識別情報およびカード端末２１の識別情報を、同じバックエンドデバイスまたは異なるバックエンドデバイスに送信することができる。この実施形態では、例示の目的のために、カード端末２１は、ユーザカードの識別情報をユーザカード管理デバイス２２に送信し、カード端末２１の識別情報をカード端末管理デバイス２３に送信する。例示的用途において、ユーザカード管理デバイス２２およびカード端末管理デバイス２３の機能は、単一機器に統合することができる。
【００４９】
ユーザカード管理デバイス２２は、ユーザカードの識別情報およびユーザカードの識別情報に対応するユーザ情報を格納し、カード端末２１によって送信されるユーザカードの識別情報に基づいて対応するユーザ情報を取得するように構成される。
【００５０】
ユーザ情報は、限定されないが、携帯電話番号、Ｅメールアドレス、インスタントメッセージアカウントまたはボックス、マイクロブログ情報、ユーザの友人の情報、ユーザのグループ情報等を含む。ユーザの友人の情報は、限定されないが、携帯電話番号、Ｅメールアドレス、インスタントメッセージアカウントまたはボックス、マイクロブログ情報等を含む。当然、例示的用途において、ユーザの情報およびユーザの友人の情報は、前述の情報に限定されない。ユーザに到達することが可能な全ての情報は、本開示の保護の範囲に属する。
【００５１】
具体的には、ユーザカード管理デバイス２２は、ユーザカードの識別情報およびユーザカードの識別情報に対応するユーザ情報を予め格納する。ユーザカードの識別情報は固有であるため、対応するユーザ情報を取得するために、ユーザカードの識別情報を取得された状態で使用することができる。
【００５２】
本開示は、ユーザカード管理デバイス２２内にユーザカードの識別情報および対応するユーザ情報を格納する例を示す。例示的用途において、ユーザカード管理デバイス２２は、ユーザカードの識別情報に従ってユーザカード管理デバイス２２から情報を取得することに限定されない異なる様式で、ユーザ情報を取得することができる。
【００５３】
例えば、ユーザ情報は、例示的用途においてユーザカード内に格納されてもよい。そのような状況下では、ユーザカード管理デバイス２２は、ユーザカードから直接的にユーザカードに対応するユーザ情報を取得することができる。
【００５４】
例えば、ユーザカード管理デバイス２２の格納スペースを節約するために、例示的用途において、ユーザカード管理デバイス２２内で記録された情報（例えば、ユーザカードの識別情報およびユーザ情報）は、データベースサーバ内に格納されてもよい。プリセット期間（例えば、週）に記録された情報のみが、ユーザカード管理デバイス２２内に残される。そのような状況では、ユーザカード管理デバイス２２は完全なユーザ情報を有さないため、上記デバイスは、要件に従って、データベースサーバからユーザカードの識別情報に対応するユーザ情報を取得することができる。データベースサーバからユーザ情報を取得する方法は、ユーザカード管理デバイス２２からユーザ情報を取得する方法と類似しているため、ここでは詳細を省略する。
【００５５】
本開示において、より良いサービスをユーザに提供するために、ユーザカード管理デバイス２２において、異なるユーザのために異なる種類のサービスが提供されてもよい。サービスは、限定されないが、メンバーシップ、友人、トランザクション、報酬、カード管理等を含む。
【００５６】
メンバーシップのサービスは、ユーザカード管理デバイス２２内で、メンバーシップ申込書を提供すること、携帯電話およびメールボックスを設定すること、メンバーシップを認定すること等を含む。
【００５７】
友人のサービスは、ユーザカード管理デバイス２２内で、友人の情報を提供することおよびその状態を照会することを含む。
【００５８】
トランザクションのサービスは、ユーザカード管理デバイス２２内で、所定期間の間（所定期間は要件に従って選択することができる）、ユーザの最近の行動の情報（例えば、消費行動情報、インターネット行動情報等）を記録すること、および異なる条件に基づいてユーザ情報に対するクエリを実行することを含む。
【００５９】
報酬のサービスは、ユーザカード管理デバイス２２内で、報酬をギフトと引き換えること、ギフトを送達すること、美しい画像とともにギフトを提示すること、および簡単な紹介を提供すること等を含む。ギフトの他にも、ユーザは、ユーザカードを受け付ける契約を交わしている商店で消費する際にクーポンを使用することもでき、クーポンは、ユーザのメンバーシップ内に仮想通貨として格納される。
【００６０】
カード管理のサービスは、ユーザカード管理デバイス２２内で、個人向けカードを提供すること、カードを発行すること、カードを有効化すること、支払い口座を設定すること、カードの状態を照会すること等を含む。
【００６１】
カード端末管理デバイス２３は、カード端末２１の識別情報およびカード端末２１の識別情報に相当する対応するカード端末情報を格納し、カード端末２１の識別情報に従って対応するカード端末情報を取得するように構成される。
【００６２】
カード端末情報は、限定されないが、カード端末、カード端末の周辺カード端末（すなわち、走査を行うユーザが利用可能な周辺カード端末）、カード端末の周辺広告放送機器（すなわち、走査を行うユーザが利用可能な周辺広告放送機器）のアドレス情報を含む。当然、他の例示的用途において、カード端末情報は、前述の情報に限定されない。ユーザの機器に推奨情報を表示することが可能ないずれのアドレス情報も、カード端末情報と見なすことができる。
【００６３】
具体的には、カード端末管理デバイス２３は、カード端末２１の識別情報およびカード端末２１の識別情報に対応するカード端末情報を予め格納する。カード端末２１の識別情報は固有であるため、対応するカード端末情報を取得するために、カード端末２１の識別情報を取得された状態で使用することができる。
【００６４】
本開示は、カード端末管理デバイス２３内にカード端末２１の識別情報および対応するカード端末情報を格納する例を示す。例示的用途において、カード端末管理デバイス２３は、カード端末２１の識別情報に従ってカード端末管理デバイス２３から情報を取得することに限定されない異なる様式で、カード端末情報を取得することができる。
【００６５】
例えば、カード端末情報は、例示的用途においてカード端末２１内に格納されてもよい。そのような状況下では、カード端末管理デバイス２３は、カード端末２１から直接的にカード端末情報を取得することができる。
【００６６】
例えば、カード端末管理デバイス２３の格納スペースを節約するために、例示的用途において、カード端末管理デバイス２３内で記録された情報（例えば、カード端末の識別情報およびカード端末情報）は、データベースサーバ内に格納されてもよい。そのような状況では、カード端末管理デバイス２３は、データベースサーバからカード端末の識別情報に対応するカード端末情報を取得することができる。
【００６７】
データ分析および推奨デバイス２４は、ユーザカード管理デバイス２２によって取得されたユーザ情報およびカード端末管理デバイス２３によって取得されたカード端末情報に基づいて、取得されたユーザ情報およびカード端末情報に対応する推奨情報が存在するかどうかを決定し、推奨情報が存在する場合、ユーザ情報に対応するアドレスまたは機器に推奨情報を送信するように構成される。
【００６８】
例示的用途において、データ分析および推奨デバイス２４によってユーザ情報およびカード端末情報を取得する方法は、限定されないが、カード管理デバイス２２によってユーザ情報をデータ分析および推奨デバイス２４に直接送信し、カード端末管理デバイス２３によってカード端末情報をデータ分析および推奨デバイス２４に送信することを含む。代替として、データ分析および推奨デバイス２４が、ユーザ情報およびカード端末情報を取得するためのトリガコマンドを受信した場合、データ分析および推奨デバイス２４は、データベースサーバから直接的にユーザ情報および／またはカード端末情報を取得してもよい。代替として、データ分析および推奨デバイス２４が、ユーザ情報およびカード端末情報を取得するというトリガコマンドを受信した場合、データ分析および推奨デバイス２４は、ユーザカード管理デバイス２２からユーザ情報を、そしてカード端末管理デバイス２３から直接的にカード端末情報を取得してもよい。
【００６９】
本開示において、データ分析および推奨デバイス２４は、限定されないが、１つ以上のプロセッサ２４１、メモリ２４２、ネットワークインターフェース２４６、および入力／出力インターフェース２４７を備えてもよい。
【００７０】
メモリ２４２は、揮発性メモリ、例えば、ランダムアクセスメモリ（ＲＡＭ）および／または非揮発性メモリ、例えば、読み取り専用メモリ（ＲＯＭ）もしくはフラッシュＲＡＭ等の形態のコンピュータ可読媒体を含んでもよい。メモリ２４２は、コンピュータ可読媒体の例である。
【００７１】
コンピュータ可読媒体は、コンピュータ可読命令、データ構造、プログラムモジュール、または他のデータ等の、情報の格納のための任意の方法または技術において実装される、揮発性および非揮発性の取り外し可能および取り外し不可能な媒体を含む。コンピュータ可読媒体は、限定されないが、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、読み取り専用メモリ（ＲＯＭ）、電気的に消去可能なプログラム可能読み取り専用メモリ（ＥＥＰＲＯＭ）、フラッシュメモリもしくは他の記憶技術、コンパクトディスク読み取り専用メモリ（ＣＤ−ＲＯＭ）、デジタル多用途ディスク（ＤＶＤ）もしくは他の光学記憶装置、磁気カセット、磁気テープ、磁気ディスク記憶装置もしくは他の磁気記憶デバイス、または計算デバイスによるアクセスのための情報を格納するために使用することができる任意の他の非伝送媒体を含む。本明細書に定義されるように、コンピュータ可読媒体は、変調されたデータシグナルおよび搬送波等の一時的媒体を含まない。
【００７２】
メモリ２４２は、格納モジュール２４３、決定モジュール２４４、および公開モジュール２４５等のプログラムモジュールを含んでもよい。格納モジュール２４３は、ユーザ情報およびカード端末情報に対応する推奨情報を格納するように構成される。
【００７３】
例示的用途において、ユーザ情報およびカード端末情報と推奨情報との間の対応する関係は、要件に従って選択され得るバックエンドデバイス内に格納することができる。本開示において、例えば、対応する関係は、ユーザ情報およびカード端末情報と推奨情報との間の対応する関係を表す表２に示すように、データ分析および推奨デバイス２４の格納モジュール２４３内に格納される。
【００７４】
【表２】
0005911868.tif 000003
【００７５】
本開示において、推奨情報は、実際の状況に従って選択することができ、限定されないが、広告情報、文字情報、画像情報、動画情報、字幕情報、フラッシュアニメーション情報、ウェブページ情報、スライド情報等を含むことができる。
【００７６】
本開示は、関係を格納するために表を使用することに限定されないことを理解されたい。代わりに、関係を格納するために異なる様式を用いることができる。関係の推奨情報は、限定されないが、消費行動情報およびインターネット行動情報を含むユーザの行動情報に従って取得され得る。ユーザの行動情報を取得した後、ユーザが関心を持ち得る情報をユーザの行動情報に従って分析することができ、推奨情報として用いることができる。
【００７７】
さらに、ユーザカード管理デバイス２２は、ユーザの行動情報を格納する。データ分析および推奨デバイス２４は、ユーザカード管理デバイス２２からユーザの行動情報を取得し、ユーザが関心を持ち得る推奨情報を分析するためにユーザの行動情報を使用することができる。
【００７８】
消費行動情報を例に取ってみよう。ユーザカード（例えば、ユーザカード１）の識別情報と消費行動情報との間の対応する関係は、ユーザカード管理デバイス２２内に格納される。ユーザカード１を介した消費が完了する度に、その消費行動がユーザカード管理デバイス２２内に記録される。その結果、ユーザカード管理デバイス２２は、ユーザカード１の全ての消費行動情報を記録することができる。取得されたユーザカードの識別情報がユーザカード１である場合、ユーザカード１の全ての消費行動情報をユーザカード管理デバイス２２内に見出すことができる。
【００７９】
インターネット行動情報を例に取ってみよう。ユーザカード（例えば、ユーザカード１）の識別情報とインターネット行動情報との間の対応する関係は、ユーザカード管理デバイス２２内に格納される。ユーザカード１を介したインターネット行動（例えば、インターネットを介して製品および／またはサービスをブラウジング、閲覧、批評、収集、および共有すること）が完了する度に、そのインターネット行動がユーザカード管理デバイス２２内に記録される。その結果、ユーザカード管理デバイス２２は、ユーザカード１の全てのインターネット行動情報を記録することができる。取得されたユーザカードの識別情報がユーザカード１である場合、ユーザカード１の全てのインターネット行動情報をユーザカード管理デバイス２２内に見出すことができる。
【００８０】
決定モジュール２４４は、ユーザカード管理デバイス２２によって取得されるユーザ情報およびカード端末管理デバイス２３によって取得されるカード端末情報に従って、格納モジュール２４３内にユーザ情報およびカード端末情報に対応する推奨情報が存在するかどうかを決定し、推奨情報が存在する場合、公開モジュール２４５を作動させるように構成される。
【００８１】
本開示において、データ分析および推奨デバイス２４がユーザ情報およびカード端末情報を取得すると、決定モジュール２４４は、表２に示す関係を検索することにより、ユーザ情報およびカード端末情報に対応する推奨情報が存在するかどうかを決定することができ、推奨情報を検出した後に公開モジュール２４５を作動させることができる。
【００８２】
公開モジュール２４５は、ユーザ情報に対応するアドレスまたは機器に推奨情報を公開するように構成される。
【００８３】
例えば、ユーザ情報が携帯電話番号である場合、公開モジュール２４５は、その携帯電話番号（すなわち、携帯電話端末）に対応する機器に推奨情報を直接公開することができ、ユーザは、携帯電話端末を介して推奨情報を受信する。ユーザ情報がＥメールアドレスである場合、公開モジュール２４５は、そのＥメールアドレスに推奨情報を直接公開することができ、ユーザは、Ｅメールアドレスを介して推奨情報を受信する。他のユーザ情報は、本開示では省略する。
【００８４】
例示的用途において、多くの店舗が同じかまたは類似するサービスを提供することができるため、ユーザが関心を持っている推奨情報を認知した後、データ分析および推奨デバイス２４は、ユーザが関心を持っている推奨情報のリストを取得し（リストは多くの店舗の情報を含む）、カード端末２１の場所に従って（例えば、カード端末に最も近い店舗、またはカード端末に近く、現在人気がある店舗）、推奨情報のリストからカード端末２１にマッチする１つ以上の推奨情報を選択することを理解されたい。
【００８５】
本開示において、ユーザの経験を豊かなものにするため、推奨情報は、マルチメディアの形態でユーザ情報に対応するアドレスまたは機器に送信され、ユーザ情報に対応するアドレスまたは機器を介してユーザに表示される。
【００８６】
したがって、推奨情報は、店舗に対応するマルチメディア情報であり得る。マルチメディア情報は、ディスクアレイによって構成され得る格納モジュール２４３内に格納することができる。マルチメディア情報は、格納モジュール２４３から直接取得されてもよい。
【００８７】
具体的には、格納モジュール２４３は、店舗の識別（例えば、店舗の名称、店舗の固有の番号等）と店舗のマルチメディア情報との間の対応する関係を格納することができる。店舗に対応するマルチメディア情報が要求される場合、店舗の対応する識別が最初に決定され、その識別に従ってマルチメディア情報が推奨情報として取得されてもよい。
【００８８】
さらに、各店舗のマルチメディア情報を格納モジュール２４３内に格納するために、データ分析および推奨デバイス２４は、各店舗の情報を取得し、情報を編集し、情報をマルチメディア情報に変換し、マルチメディア情報を格納モジュール２４３内に格納することができることを理解されたい。
【００８９】
具体的には、格納モジュール２４３が各店舗のマルチメディア情報を格納できることを確実にするために、データ分析および推奨デバイス２４は、各店舗の情報（例えば、文字情報、画像情報、音声情報、動画情報等）を取得し、情報を編集し、情報をマルチメディア情報に変換することができる。
【００９０】
例示的用途において、格納デバイスから必要なマルチメディア情報を検出するために、データ分析および推奨デバイス２４は、各店舗のマルチメディア情報を分類し、分類されたマルチメディア情報を格納モジュール２４３内に格納することができる。例えば、Ａ型のサービスを提供することが可能な店舗に対応するマルチメディア情報は、グループ１として格納モジュール２４３内に格納され、Ｂ型のサービスを提供することが可能な店舗に対応するマルチメディア情報は、グループ２として格納モジュール２４３内に格納される。ユーザに表示される推奨情報がＡ型のサービスを提供する店舗を参照する場合、データ分析および推奨デバイス２４は、Ａ型のサービスを提供することが可能な全ての店舗に対応するマルチメディア情報を検出するためにグループ１を検索すればよいだけである。次いで、これらの店舗に対応するマルチメディア情報を検出することができ、最終的には推奨情報が取得され得る。
【００９１】
要約すると、推奨情報は、データ分析および推奨デバイスの公開モジュール２４５を介してユーザ情報に対応するアドレスまたは機器に送信され得、ユーザ情報に対応するアドレスまたは機器を介してユーザに表示され得る。異なるマルチメディア情報をそれぞれ異なる人々に送信するのではなく、マルチメディア情報を一般に向けて送信することしかできない従来技術と比較すると、本開示では、推奨情報をユーザ情報に対応するアドレスまたは機器に送信して表示することができるため、ユーザに表示される情報は、異なる推奨情報に従って変化する。さらに、推奨情報は、ユーザ情報およびカード端末情報に対応するため、推奨情報は、特定のユーザのための個人向け情報である。また、推奨情報は、広告情報、文字情報、画像情報、動画情報、音声情報等の異なる形態であり得るため、ユーザに個人向けマルチメディア情報を提供することができる。
【００９２】
実施形態３
実施形態２に続いて、図３は、実施形態３に従ってユーザカードに基づく情報を送信するためのシステム構造の略図を示す。システムは、カード端末３１、ユーザカード管理デバイス３２、カード端末管理デバイス３３、およびデータ分析および推奨デバイス３４を含む。
【００９３】
カード端末３１は、ユーザカードの識別情報を取得し、ユーザカードの識別情報およびカード端末の識別情報を送信するように構成される。カード端末は、限定されないが、ＰＯＳ機を含む。
【００９４】
ユーザカードの識別情報は、ユーザカードを決定するために使用される唯一の情報であり得る。例えば、ユーザカードの識別情報は、数字情報または固有の識別情報であってもよい。追加としてまたは代替として、カード端末の識別情報は、カード端末を決定するために使用される唯一の情報、例えば、カード端末のシリアル番号またはアドレス情報等であってもよい。
【００９５】
本開示において、ユーザがカード端末３１で走査を行うと、カード端末３１は、ユーザカード内に格納されたユーザカードの識別情報を読み取り、ユーザカードの識別情報を送信する。其の上、カード端末３１は、カード端末３１の識別情報を格納し、カード端末３１の識別情報をカード端末管理デバイス３３に送信する。
【００９６】
ユーザカード管理デバイス３２は、ユーザ情報およびユーザ情報に対応するユーザカードの識別情報を格納し、カード端末３１によって送信されるユーザカードの識別情報に基づいて対応するユーザ情報を取得するように構成される。
【００９７】
ユーザ情報は、限定されないが、携帯電話番号、Ｅメールアドレス、インスタントメッセージアカウントまたはボックス、マイクロブログ情報、ユーザの友人の情報、ユーザのグループ情報等を含む。ユーザの友人の情報は、限定されないが、携帯電話番号、Ｅメールアドレス、ＭＳＮアカウント、マイクロブログ情報等を含む。
【００９８】
カード端末管理デバイス３３は、カード端末情報およびカード端末情報に対応するカード端末の識別情報を格納し、カード端末の識別情報に従って対応するカード端末情報を取得するように構成される。
【００９９】
カード端末情報は、限定されないが、カード端末、カード端末の周辺カード端末、およびカード端末の周辺広告放送機器のアドレス情報を含む。
【０１００】
データ分析および推奨デバイス３４は、ユーザカード管理デバイス３２によって取得されたユーザ情報およびカード端末管理デバイス３３によって取得されたカード端末情報に基づいて、取得されたユーザ情報およびカード端末情報に対応する推奨情報が存在するかどうかを決定し、推奨情報が存在する場合、ユーザ情報に対応するアドレスまたは機器に推奨情報を送信するように構成される。
【０１０１】
本開示において、データ分析および推奨デバイス３４は、以下のモジュールをさらに備える。
【０１０２】
格納モジュール３４１は、ユーザ情報およびカード端末情報に対応する推奨情報を送信するように構成される。
【０１０３】
本開示において、推奨情報は、実際の状況に従って選択することができ、限定されないが、広告情報、文字情報、画像情報、動画情報、字幕情報、フラッシュアニメーション情報、ウェブページ情報、スライド情報等を含むことができる。
【０１０４】
決定モジュール３４２は、ユーザカード管理デバイス３２によって取得されるユーザ情報およびカード端末管理デバイス３３によって取得されるカード端末情報に従って、格納モジュール３４１内にユーザ情報およびカード端末情報に対応する推奨情報が存在するかどうかを決定し、推奨情報が存在する場合、公開モジュール３４３を作動させるように構成される。
【０１０５】
公開モジュール３４３は、ユーザ情報に対応するアドレスまたは機器に推奨情報を公開するように構成される。
【０１０６】
例えば、カード端末情報がカード端末のアドレス情報である場合、公開モジュール３４３は、ユーザに推奨情報を表示するカード端末３１に推奨情報を直接公開することができる。カード端末情報が周辺広告放送機器のアドレス情報である場合、周辺広告放送機器は、ユーザに推奨情報を表示する。他のカード端末情報は、本開示では省略する。
【０１０７】
本開示において、ユーザの経験を豊かなものにするため、推奨情報は、マルチメディアの形態でカード端末情報に対応するアドレスまたは機器に送信され、カード端末情報に対応するアドレスまたは機器を介してユーザに表示される。
【０１０８】
要約すると、推奨情報は、データ分析および推奨デバイスの公開モジュール３４３を介してカード端末情報に対応するアドレスまたは機器に送信され得、カード端末情報に対応するアドレスまたは機器を介してユーザに表示され得る。異なるマルチメディア情報をそれぞれ異なる人々に送信するのではなく、マルチメディア情報を一般に向けて送信することしかできない従来技術と比較すると、本開示では、推奨情報をカード端末情報に対応するアドレスまたは機器に送信して表示することができるため、ユーザに表示される情報は、異なる推奨情報に従って変化する。さらに、推奨情報は、ユーザ情報およびカード端末情報に対応するため、推奨情報は、特定のユーザのための個人向け情報である。また、推奨情報は、広告情報、文字情報、画像情報、動画情報、音声情報等の異なる形態であり得るため、ユーザに個人向けマルチメディア情報を提供することができる。
【０１０９】
実施形態４
実施形態３に続いて、実施形態４は、ユーザカードに基づく情報を送信するためのデバイスを提供する。推奨された情報をユーザに表示した後、カード端末はさらに、ユーザが推奨された情報を選択したことを示すトリガコマンドを受信することができる。本発明の実施形態において、ユーザ情報は、ユーザの友人の情報、例えば、携帯電話番号、Ｅメールアドレス、ＭＳＮアカウント、マイクロブログ情報等を含む。ユーザカード管理デバイスは、ユーザカードの識別情報とユーザの友人の情報との間の対応する関係を格納することができる。ユーザカードの識別情報を取得した後、ユーザカード管理デバイスはさらに、ユーザカードの識別情報に基づいてユーザの友人の情報を取得することができる。
【０１１０】
ユーザの友人の情報を取得した後、推奨情報は、ユーザの友人の情報に対応するアドレスまたは機器に送信され得る。送信方法は、実施形態２に記載されるような、ユーザ情報に対応するアドレスまたは機器に推奨情報を送信する方法と類似している。この実施形態では詳細を省略する。
【０１１１】
さらに、例示的用途において、ユーザに推奨情報を表示した後、ユーザは、推奨情報（例えば、表１の推奨情報１）を評価することができることを理解されたい。評価の結果がプリセットグレードよりも良い場合、将来的に推奨情報がユーザに送信された時に、推奨情報１は、より低いグレードを有する他の推奨情報より優先され、評価の結果がプリセットグレードよりも悪い場合、将来的に推奨情報がユーザに送信された時、推奨情報１は選択されない。ここでは詳細を省略する。
【０１１２】
要約すると、ユーザ情報に対応するアドレスまたは機器に推奨情報を送信することにより、ユーザに推奨情報を表示することが可能となり、ユーザの友人の情報に対応するアドレスまたは機器に推奨情報を送信することにより、ユーザの友人に推奨情報を表示することが可能となる。異なるマルチメディア情報をそれぞれ異なる人々に送信するのではなく、マルチメディア情報を一般に向けて送信することしかできない従来技術と比較すると、本開示では、推奨情報をユーザの友人の情報に対応するアドレスまたは機器に送信して表示することができるため、ユーザに表示される情報は、異なる推奨情報に従って変化する。さらに、推奨情報は、ユーザ情報およびカード端末情報に対応するため、推奨情報は、特定のユーザのための個人向け情報である。また、推奨情報は、広告情報、文字情報、画像情報、動画情報、音声情報等の異なる形態であり得るため、ユーザに個人向けマルチメディア情報を提供することができる。加えて、ユーザの友人の情報に対応するアドレスまたは機器を介してユーザの友人に推奨情報を表示することにより、友人が関連する情報を容易に共有できないという従来技術に存在する問題を解決する。
【０１１３】
実施形態５
実施形態５は、実施形態１〜４に示すシステムのためのカード端末を提供する。図４に示すように、本開示の実施形態５に従うカード端末の構造図が提供される。当業者は、本開示の実施形態に示される機能に従って対応するカード端末を設計することができることを理解されたい。本発明の実施形態は、特定の例を提供するに過ぎず、カード端末に何らかの制限を設けることを意図するものではない。
【０１１４】
図４に示すように、カード端末は、各外部機器のインターフェースを提供するためのインターフェース構成要素４１と、データ（例えば、ユーザカードデータ、グラフィックデータ、推奨データ等）の入力／出力を処理および制御するための制御構成要素４２と、種々のカード端末のデータを格納するための格納構成要素４３、例えば電子ディスク（例えば、ＳＤカード、ＣＦカード）と、カードの読み書きのためのカード構成要素４４とを含む。
【０１１５】
インターフェース構成要素４１は、イーサネット（登録商標）、ＷｉＦｉ等を接続するため、支払い情報と個人情報とを交換するため、およびある動画情報、画像情報、または文字広告情報をダウンロードするために、ネットワークインターフェースを含むことができる。
【０１１６】
インターフェース構成要素４１はさらに、ユーザのパスワードログインおよびタッチ操作等の機能を支持するために、外部のキーボードまたはタッチスクリーン等に接続されたシリアル（例えば、３ワイヤＲＳ２３２シリアル等）またはＵＳＢを含むことができる。
【０１１７】
インターフェース構成要素４１は、音声／動画の入力／出力インターフェース、例えば、ビデオグラフィックスアレイ（ＶＧＡ）インターフェース、ＬＶＤＳインターフェース、ＤＶＩインターフェース等を含むことができる。液晶ディスプレイ等の外部表示デバイスを介して、種々の照会または支払い情報および推奨情報を表示することができる。
【０１１８】
制御構成要素４２は、ユーザの照会または支払いを処理するため、データをダウンロードするため、およびマルチメディアを再生するために、３２Ｍ以上のランダムアクセスメモリ（ＲＡＭ）等のメモリを統合することができるマイクロコントロールユニット（ＭＣＵ）であってもよい。
【０１１９】
また、制御構成要素４２は、十分な動画データ処理能力を提供するため、種々の動画／音声基準を支持するため、およびＩＰネットワーク上のマルチメディア用途の要件を満たすために、音声／動画エンコーディング／デコーディングモジュールを含むこともできる。
【０１２０】
また、制御構成要素４２は、機械の安全性を管理するために、店舗のＰＯＳ、ネットワーク端末、直結端末等の端末機器に設置された端末安全管理モジュールを含むこともできる。
【０１２１】
カード端末が格納構成要素４３内にマルチメディアコンテンツを格納することができる場合、コンテンツが推奨情報であると見なされると、そのコンテンツは局所的にローディングされ得る。したがって、冗長なダウンロードおよびネットワーク大域幅の占有を回避することができる。
【０１２２】
カード構成要素４４は、例えば、１２５Ｋ  ＩＤ、１３．５６ＭＨｚ  ＩＳＯ／ＩＥＣ１５６９３、ＩＳＯ／ＩＥＣ１４４４３、９００Ｍ  ＩＳＯ／ＩＥＣ１８０００−６Ｃと互換性のあるカードを読み取る／書き込むためのＲＦＩＤカードリーダ２６１であってもよい。
【０１２３】
また、カード構成要素４４は、双方向走査のための磁気カードリーダであってもよい。
【０１２４】
追加として、カード端末はさらに、インターフェース構成要素４１を介してプリンタ等の外部機器に接続されてもよい。
【０１２５】
実施形態６
図５に示すように、実施形態１に開示されるシステムおよび用途に対応する、本開示の実施形態６に従ってユーザカードに基づく情報を送信するフローチャートが提供される。動作５０１では、カード端末が、ユーザカードの識別情報を取得し、ユーザカードの識別情報およびカード端末の識別情報を送信する。カード端末は、ユーザカードの識別情報およびカード端末の識別情報をデータ分析および推奨デバイスに送信する。
【０１２６】
動作５０２では、データ分析および推奨デバイスが、ユーザカードの識別情報およびカード端末の識別情報に従って、ユーザカードの識別情報およびカード端末の識別情報に対応する推奨情報が存在するかどうかを決定する。推奨情報が存在する場合、データ分析および推奨デバイスは、動作５０３に示されるように、カード端末に推奨情報を送信する。
【０１２７】
実施形態７
図６に示すように、実施形態２に開示されるシステムおよび用途に対応する、本開示の実施形態７に従ってユーザカードに基づく情報を送信するフローチャートが提供される。動作６０１では、カード端末が、ユーザカードの識別情報を取得し、ユーザカードの識別情報およびカード端末の識別情報を送信する。カード端末は、ユーザカードの識別情報をユーザカード管理デバイスに送信し、カード端末の識別情報をカード端末管理デバイスに送信する。
【０１２８】
動作６０２では、ユーザカード管理デバイスが、予め格納されたユーザカードの識別情報および対応するユーザ情報、ならびにカード端末によって送信されるユーザカードの識別情報に従って、対応するユーザ情報を取得する。その後、ユーザカード管理デバイスは、ユーザ情報をデータ分析および推奨デバイスに送信する必要がある。動作６０３では、カード端末管理デバイスが、予め格納されたカード端末の識別情報および対応するカード端末情報に従って、対応するカード端末情報を取得する。その後、カード端末管理は、カード端末情報をデータ分析および推奨デバイスに送信する。動作６０２および６０３は、連続的に操作されなくてもよい。換言すると、２つのステップは、同時にまたは連続的に操作することができる。
【０１２９】
動作６０４では、データ分析および推奨デバイスが、ユーザカード管理デバイスによって取得されるユーザ情報およびカード端末管理デバイスによって取得されるカード端末情報に従って、ユーザ情報およびカード端末情報に対応する推奨情報が存在するかどうかを決定する。データ分析および推奨デバイスは、ユーザカード管理デバイスによって取得されたユーザ情報およびカード端末管理デバイスによって取得されたカード端末情報に従って、予め格納されたユーザ情報および予め格納されたカード端末情報に対応する推奨情報の中に、取得されたユーザ情報および取得されたカード端末情報に対応する推奨情報が存在するかどうかを決定することができる。推奨情報が存在する場合、分析および推奨デバイスは、ユーザ情報に対応するアドレスまたは機器に推奨情報を送信する。
【０１３０】
実施形態８
図７に示すように、実施形態３に開示されるシステムおよび用途に対応する、本開示の実施形態８に従ってユーザカードに基づく情報を送信するフローチャートが提供される。動作７０１では、カード端末が、ユーザカードの識別情報を取得し、ユーザカードの識別情報およびカード端末の識別情報を送信する。カード端末は、ユーザカードの識別情報をユーザカード管理デバイスに送信し、カード端末の識別情報をカード端末管理デバイスに送信する。
【０１３１】
動作７０２では、ユーザカード管理デバイスが、予め格納されたユーザ情報およびユーザ情報に対応するユーザカードの識別情報、ならびにカード端末によって送信されるユーザカードの識別情報に従って、対応するユーザ情報を取得する。その後、ユーザカード管理デバイスは、ユーザ情報をデータ分析および推奨デバイスに送信する。動作７０３では、カード端末管理デバイスが、予め格納されたカード端末情報およびカード端末情報に対応するカード端末の識別情報に従って、対応するカード端末情報を取得する。その後、カード端末管理は、カード端末情報をデータ分析および推奨デバイスに送信する。動作７０２および７０３は、連続的に操作されなくてもよい。換言すると、２つのステップは、同時にまたは連続的に操作することができる。
【０１３２】
動作７０４では、データ分析および推奨デバイスが、ユーザカード管理デバイスによって取得されるユーザ情報およびカード端末管理デバイスによって取得されるカード端末情報に従って、ユーザ情報およびカード端末情報に対応する推奨情報が存在するかどうかを決定する。データ分析および推奨デバイスは、ユーザカード管理デバイスによって取得されたユーザ情報およびカード端末管理デバイスによって取得されたカード端末情報に従って、予め格納されたユーザ情報および予め格納されたカード端末情報に対応する推奨情報の中に、取得されたユーザ情報および取得されたカード端末情報に対応する推奨情報が存在するかどうかを決定してもよい。推奨情報が存在する場合、データ分析および推奨デバイスは、ユーザ情報に対応するアドレスまたは機器に推奨情報を送信する。
【０１３３】
上記実施内容を読むことによって、当業者は、いくつかの必要な一般的なハードウェアプラットフォームを有するあるソフトウェアによって本開示が実施され得ることを明確に理解することができる。その理解に基づいて、本質的に、本開示の技術的ソリューションまたは従来技術への貢献は、ソフトウェア製品の形態で実施することができる。コンピュータソフトウェア製品は、コンピュータデバイス（パーソナルコンピュータ、サーバ、またはネットワークデバイス等）に本開示の実施形態または実施形態の一部に記載される方法を実行させるために使用することができるある命令を含む記憶媒体内に保存することができる。
【０１３４】
本明細書に開示される実施形態は、本開示のいくつかの好ましい実施内容に過ぎない。本開示はある実施形態において説明されているものの、本開示の主旨から逸脱しない実施形態への任意の変更および修正は特許請求の範囲によって網羅されると見なされるべきであることが、当業者には理解されよう。
【０１３５】
当業者は、モジュールを実施形態のデバイスに分布させることができるか、または本開示の実施形態とは異なる１つ以上のデバイスに分布させることができることを理解することができる。実施形態のモジュールは、統合されてもよいか、または別々に分布されてもよい。モジュールは、１つのモジュールとして統合されてもよいか、または複数のサブモジュールにさらに分割されてもよい。前述の実施形態は、例示のために示されているに過ぎず、本開示の利点または欠点について言及するものではない。
【０１３６】
ある実施形態が提示されているが、本開示の範囲はそれらの実施形態に限定されない。当業者が想到するであろう実施形態に対するいずれの変更も、本開示の範囲内に属する。
【図１】
0005911868.tif 000004
【図２】
0005911868.tif 000005
【図３】
0005911868.tif 000006
【図４】
0005911868.tif 000007
【図５】
0005911868.tif 000008
【図６】
0005911868.tif 000009
【図７】
0005911868.tif 000010